(57)【要約】【課題】本発明は、デッドスペースを有効に活用する棚を提供することにある。【解決手段】本発明は、棚１００が複数個の棚板パーツ２００から構成された棚板を有している。棚板パーツ２００は、本などを搭置するための板面と棚板パーツ同士を連結する連結部と棚１００の壁面に設置するための設置部２００ｃとを有している。【選択図】図１
2018158082.tif 000002
【特許請求の範囲】
【請求項１】
複数の棚板パーツが連結されてからなり、
前記棚板パーツは、板面と棚板パーツ同士を連結する連結部と壁面に設置するための設置部とを有している、ことを特徴とする棚。
【請求項２】
請求項１に記載の棚であって、
前記連結部は、突起部と凹部とで構成され、
他の棚板パーツの前記凹部に前記突起部を回転可能に挿入することで、棚板パーツ同士が連結される、ことを特徴とする棚。
【請求項３】
請求項１または２に記載の棚であって、
前記棚板パーツは、前記板面が少なくとも水平方向及び垂直方向に向くように設置可能である、ことを特徴とする棚。
【発明の詳細な説明】
【技術分野】
【０００１】  本発明は、棚に係わり、特に棚のデッドスペースを生かす棚板に関する。
【背景技術】
【０００２】  従来、本棚のデッドスペースを軽減することを目的とする棚があった。
【先行技術文献】
【特許文献】
【０００３】
【特許文献１】実開平５−６８３３６号公報
【特許文献２】実開５８−１０５２３８号公報
【特許文献３】実開平４−１３３７４９号公報
【発明の概要】
【発明が解決しようとする課題】
【０００４】  しかしながら、従来の棚では、デッドスペースを生かし切れていない問題があった。【０００５】  本発明の目的は、デッドスペースを生かす棚を提供することである。
【課題を解決するための手段】
【０００６】  上記目的は、複数の棚板パーツ２００が連結されてからなり、前記棚板パーツは、板面と棚板パーツ同士を連結する連結部と壁面に設置するための設置部とを有している、ことを特徴とする棚１００によって達成される。
【発明の効果】
【０００７】  本発明によれば、デッドスペースを生かす棚が実現できる。
【図面の簡単な説明】
【０００８】
【図１】本発明の実施形態による本棚１００の全体構造を説明する図である。
【図２】本発明の実施形態による本棚１００の背面構造を説明する図である。
【図３】本発明の実施形態による本棚１００に用いる棚板パーツ２００を説明する図である。
【図４】本発明の実施形態による本棚１００に用いる棚板パーツ２００の連結状態を説明する図である。
【発明を実施するための形態】
以下、図１〜図４を用いて、本発明の実施形態による本棚１００及び棚板パーツ２００を説明する。
【０００９】  図１は、棚１００の正面図である。棚１００は、上板１０１、左側板１０２、右側板１０３、底板１０４、背面板１０５、複数の棚板パーツ２００で構成された棚板を有している。内側板１０５ｃは等間隔で前面に保持孔１０５を有している。このため、いずれの保持孔１０５ａに棚板パーツ２００の挿入部２００ｃ（図３参照）を差し込むことが可能である。また、図４に示すように、複数の棚板パーツ２００は折り曲げ可能に連結されるため、使用者の好みに合わせて、複数の棚板パーツ２００で構成された棚板を折り曲げることもできる。このように、本棚１００は、棚板の位置のみでなく、棚板の高さを自在に変更できるため、棚板と本との間のデッドスペースを減らし、さらに多くの収納を可能とする。なお、図１において、棚１００の棚板を一段のみで図示しているが、棚１００は、複数の段の棚板を有する場合があってもよい。
【００１０】  図２は、本棚１００の背面板１０５の説明図である。本棚１００の背面は外側から背面板１０５、板１０５ｂ、内側板１０５ｃで構成されている。また、中板１０５ｂは、例えばコルクボードなどの柔らかい素材で形成されている。内側板１０５ｃは、図１のように等間隔で開けられた保持孔１０５ａを複数個有している。中板１０５ｂに柔らかい素材を用いることで内側板１０５ｃに画鋲等を使用でき、棚としてだけでなくアクセサリーなどの小物をかけるなどの使用が可能である。
【００１１】  図３は、本棚１００の棚板パーツ２００の斜視図である。棚板パーツ２００は、本などを乗せる板面と凹部２００ａ、凸部２００ｂ、挿入部２００ｃで構成されている。挿入部２００ｃは保持孔１０５ａに収まる直径とし、挿入部２００ｃを保持孔１０５ａに差し込むことで棚板パーツ２００が背面板に動かないように固定される。
【００１２】  図４は棚板パーツ２００を複数個連結させた図である。ある棚板パーツ２００の凹部２００ｂにこれとは別の棚板パーツ２００の凸部２００ｃを差し込むことで、複数の棚板パーツ２００を連結させることが可能である。また、棚板パーツ２００は、突起部２００ｂを中心として回転可能である。このため、複数の棚板パーツ２００で構成された棚板は、横方向だけでなく上下方向にも展開可能である。
【産業上の利用可能性】
【００１３】  本発明は、本棚としてだけでなく、飾り棚など使用者の目的に合わせた様々な使用が可能である。
【符号の説明】
【００１４】１００  本棚
１０１  上板
１０２  左側板
１０３  右側板
１０４  底板
１０５  背面板
１０５ａ  保持孔
１０５ｂ  中板
１０５ｃ  内側板
２００  棚板パーツ
２００ａ  凹部
２００ｂ  凸部
２００ｃ  挿入部
【図１】
2018158082.tif 000003
【図２】
2018158082.tif 000004
【図３】
2018158082.tif 000005
【図４】
2018158082.tif 000006
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
複数の棚板パーツが連結されてからなり、
前記棚板パーツは、平板と棚板パーツ同士を連結する連結部と壁面に設置するための挿入部とを有し、
前記連結部は、突起部と凹部とで構成され、
他の棚板パーツの前記凹部に前記突起部を回転可能に挿入することで、棚板パーツ同士が連結され、
前記棚板パーツは、前記平板が少なくとも水平方向及び鉛直方向に向くように設置可能であり、
前記平板の前端面は、第一の前端面と第二の前端面を備えた階段状で構成され、
前記第二の前端面は、前記第一の前端面よりも後方に位置し、
前記第二の前端面に前記凹部が設けられ、
前記平板の後端面は、第一の後端面と第二の後端面を備えた階段状で構成され、
前記第二の後端面は、前記第一の後端面よりも前方に位置し、
前記第一の後端面に前記挿入部が設けられ、
前記第二の後端面に前記突起部が設けられ、
少なくとも２つの前記棚板パーツの前記平板が水平方向に向くように連結して設置した場合において、それぞれの前記第一の前端面同士が直線状に位置するとともに、それぞれの前記第一の後端面同士も直線状に位置する、
ことを特徴とする棚。
【手続補正２】
【補正対象書類名】図面
【補正対象項目名】図３
【補正方法】変更
【補正の内容】
【図３】
2018158082.tif 000007
【手続補正書】
【提出日】平成29年10月5日(2017.10.5)
【手続補正１】
【補正対象書類名】図面
【補正対象項目名】図３
【補正方法】変更
【補正の内容】
【図３】
2018158082.tif 000008
【手続補正２】
【補正対象書類名】図面
【補正対象項目名】図４
【補正方法】変更
【補正の内容】
【図４】
2018158082.tif 000009